(57)【要約】      （修正有）【課題】清潔に利用でき、かつ低コストで、使用後容易に片付けることができるキッチンマットを提供する。【解決手段】台所２で料理する際に床を保護するためのキッチンペーパーマット１であって、略四角形の形状を有する紙から構成され、キッチンペーパーマットの向かい合う２つの辺のそれぞれの略中心を通る折曲線３を備える。少なくとも一つの面に、防水加工が施してあり、ロール状に連結しているキッチンペーパーマットを切り離して使い捨て使用してもよい。【選択図】図１
0003195917.tif 000002
【実用新案登録請求の範囲】
【請求項１】
台所で料理する際に床を保護するためのキッチンペーパーマットであって、略四角形の形状を有する紙から構成され、前記キッチンペーパーマットの向かい合う２つの辺のそれぞれの略中心を通る折曲線を備える、キッチンペーパーマット。
【請求項２】
前記キッチンペーパーマットの少なくとも一つの面に、防水加工が施してある、請求項１に記載のキッチンペーパーマット。
【請求項３】
前記キッチンペーパーマットは、連結しているキッチンペーパーマットを切り離して使用される、請求項１又は２に記載のキッチンペーパーマット。
【請求項４】
前記キッチンペーパーマットは、使い捨てである、請求項１乃至３に記載のキッチンペーパーマット。
【考案の詳細な説明】
【技術分野】
【０００１】
本発明は、料理する際に床が汚れるのを防止するために使用するキッチンペーパーマットに関するものであり、より具体的にはポイ捨てキッチンペーパーマットに関する。
【背景技術】
【０００２】
台所（キッチン）で料理をすると、キッチン台から食材片又は汁が落ち、床を汚してしまう場合がある。特に、揚げ物・炒め物を作る際は、料理中に油が跳ねやすい上、高温の油が床に接触すると床が変色してしまう恐れもある。このような不具合を回避するために、通常、床にキッチンマットを敷き、床が汚れてしまうのを防止する。
【０００３】
しかしながら、市販のキッチンマットは、布製で厚く重みもあるものが大半である。そのため、一度キッチン台前の床にキッチンマットを敷くと、洗濯及び乾燥が容易にできない。結果的に実際に清潔とは言えない状態で使用し続ける場合が多い。  
【０００４】
キッチンマットとして、例えば特許文献１などの技術があるが、このキッチンマットも複数の層を有し、相当の厚さと重みがあるものと予想される。
【先行技術文献】
【特許文献】
【０００５】
【特許文献１】特開平１１−２６６９９５号公報
【考案の概要】
【考案が解決しようとする課題】
【０００６】
清潔に利用でき、かつ低コストでキッチンマットであって、使用後容易に片づけることができキッチンマットを提供することを目的とする。
【課題を解決するための手段】
【０００７】
本考案者は、鋭意研究を重ねた結果、台所で料理する際に床を保護するためのキッチンペーパーマットであって、略四角形の形状を有する紙から構成され、前記キッチンペーパーマットの向かい合う２つの辺のそれぞれの略中心を通る折曲線を備える、キッチンペーパーマットを考案した。
【考案の効果】
【０００８】
［１］  台所で料理する際に床を保護するためのキッチンペーパーマットであって、略四角形の形状を有する紙から構成され、前記キッチンペーパーマットの向かい合う２つの辺のそれぞれの略中心を通る折曲線を備える、キッチンペーパーマットは、台所の床に配置することにより、料理によって落下した食材片、汁、油を受け止め、床の汚れを防止する。しかも、折曲線を備えているため、キッチンペーパーマットを容易に折り曲げることができ、食材片、汁、油とともに、廃棄することができる。
［２］  前記キッチンペーパーマットの少なくとも一つの面に、防水加工が施してある、前記［１］に記載のキッチンペーパーマットは、水分を含む食材等が落下しても、キッチンペーパーマットの表面で水分の浸透を防止することができ、水が床に接触することを防止することができる。
［３］  前記キッチンペーパーマットは、連結しているキッチンペーパーマットを切り離して使用される、前記［１］又は［２］に記載のキッチンペーパーマットは、コンパクトに収納・販売でき、また使用時も容易に取り出すことができる。
［４］  前記キッチンペーパーマットは、使い捨てである、前記［１］乃至［３］に記載のキッチンペーパーマットは、使用の度に交換できるため、常に新しいマットを敷くことができ、清潔が求められる台所の使用に好適である。
【図面の簡単な説明】
【０００９】
【図１】図１は、本考案の実施例のキッチンペーパーマットの使用態様を示す図である。
【図２】図２は、実施例のキッチンペーパーマットの収納時の状態を示す図である。
【図３】図３は、実施例のキッチンペーパーマットを折曲線により折り曲げた図である。
【考案を実施するための形態】
【００１０】
本考案について、図面を用いて詳細に説明する。
【実施例】
【００１１】
図１は、本考案の実施例のキッチンペーパーマット１の使用態様を示す図である。図１のように、キッチンペーパーマット１は、台所のコンロ前又はシンク前の床に配置し、キッチンの床が、食材片、汁、油などから保護するために使用される。
【００１２】
キッチンペーパーマット１の形状は略四角形である。略四角形の形状は、特に限定されないが、取扱いやすさから、長方形が好ましく、短辺は４０ｃｍ〜５０ｃｍ、長辺は８０ｃｍ〜１２０ｃｍである。キッチンペーパーマット１の４つの角の部分は、角である必要はなく、曲線に処理をしてもよい。
【００１３】
キッチンペーパーマット１は、使い捨てとして使用される。使い捨てであれば、使用ごとに新品のものを利用でき、清潔性が求められる台所用品として好適である。
【００１４】
キッチンペーパーマット１は、紙で構成される。布を利用することもできるが、高価な上、厚みがあり重く、使い捨てには適さない。
【００１５】
キッチンペーパーマット１には、向かい合う２つの辺のそれぞれの略中心を通る折曲線２を備える。キッチンペーパーマット１は、紙で構成されるため、折曲線２は、事前に紙を折り曲げておくだけでもよい。別の態様として、折曲線２でより折り曲げやすくするため、折曲線２の部分のみを別素材、例えば、極めて柔らかい樹脂を利用することもできる。
【００１６】
キッチンペーパーマット１は、少なくとも一つの面は、防水加工が施されている。使い捨てであるため、高価な防水加工は必要なく、例えば、新聞に挟まれているチラシ程度の防水加工でもよい
【００１７】
［収納状態］
キッチンペーパーマット１は、販売時又は収納時は、一枚一枚重ねて収納することもできるが、図２のようにキッチンペーパーマット１の一つの辺で、別のキッチンペーパーマット１と連結させて、ロール４にしておくことが、使いやすさの点で好ましい。実施例では、キッチンペーパーマット１は、別のキッチンペーパーマット１と切離線５（破線で記載）で切り離し可能である。なお、図２の切離線５は、ミシン目状に切れている線である。
【００１８】
［使用方法］
本実施例のキッチンペーパーマット１の使用法について説明する。
【００１９】
まず、図２のようにロール４からキッチンペーパーマット１の一枚分を引き、切離線５でロール４からキッチンペーパーマット１を手で切り離す。切り離されたキッチンペーパーマット１を台所の床、例えば、コンロ前の床やシンク前の床に配置する。その際、キッチンペーパーマット１の防水加工している面を上に向けて配置する。
【００２０】
次に料理を行うが、この際キッチンペーパーマット１上に食材片、汁、油などが落ちる。料理終了後、キッチンペーパーマット１を、その上にある食材片、汁、油などを挟み込むように、折曲線３でキッチンペーパーマット１を折り曲げ（図３参照）、さらに、折曲線３と垂直な別の折曲線ができるように、さらに折り曲げ、一辺約２０ｃｍにまで折りたたみ、それを食材片、汁、油とともに廃棄する。
【００２１】
キッチンペーパーマットは、床が汚れることを防止することができ、かつ、料理の廃棄物などと一緒に可燃物として廃棄できるために非常に有用である。
【００２２】
以上、図面を参照して、本考案の実施例を詳述してきたが、具体的な構成はこの実施例に限らず、本考案の要旨を逸脱しない程度の設計的変更は、本考案に含まれる。
【符号の説明】
【００２３】
１    キッチンペーパーマット
２    台所
３    折曲線
４    ロール
５    切離線
【図１】
0003195917.tif 000003
【図２】
0003195917.tif 000004
【図３】
0003195917.tif 000005